(57)【要約】【課題】  少ない部材で漏電表示ボタンを備えた漏電遮断器の電磁引き外し装置を提供する。【解決手段】  プランジャ５の動作を遮断機構に伝達するトリップレバー６と、電磁石装置３を収納するマグネットケース４と、漏電表示ボタン１ａを表示動作させるコイルばね２と、引き込み動作したプランジャ５を復帰させると共に連動して移動したトリップレバー６を元の位置に戻すためのコイルばね７と、電路を開閉操作する操作ハンドル２１のオフ操作に連動させて、漏電表示ボタン１ａの表示動作をリセットさせるリセットアーム８とを有し、漏電表示ボタン１ａは、マグネットケース４内から出没動作する出没部材１の頂部に形成され、出没部材１の出没動作で漏電発生の表示／非表示を実施し、出没部材１は、出没した双方の状態でトリップレバー６と係合して互いの位置が規制される。【選択図】  図２
2016015289.tif 000002
【特許請求の範囲】
【請求項１】
漏電が発生したらプランジャを引き込んで遮断機構を遮断動作させる電磁石装置と、前記プランジャの引き込み動作を受けて漏電表示動作する漏電表示ボタンとを備えた漏電遮断器の電磁引き外し装置であって、
前記プランジャに係止して一体に引き込み動作し、前記プランジャの引き込み動作を前記遮断機構に伝達するトリップレバーと、
前記電磁石装置を収納するマグネットケースと、
前記漏電表示ボタンを表示動作させる第１付勢手段と、
引き込み動作した前記プランジャを復帰させると共に、連動して移動した前記トリップレバーを元の位置に戻すための第２付勢手段とを有し、
前記漏電表示ボタンは、前記マグネットケース内から出没動作する出没部材の頂部に形成され、前記出没部材の出没動作で漏電発生の表示／非表示を実施し、
前記出没部材は、出没した双方の状態で前記トリップレバーと係合して互いの位置が規制されることを特徴とする漏電遮断器の電磁引き外し装置。
【請求項２】
電路を開閉操作する操作ハンドルのオフ操作に連動させて、前記漏電表示ボタンの表示状態をリセットさせて非表示状態とするリセットアームを有し、
前記リセットアームは、前記マグネットケースに隣接して配置されて前記マグネットケースに軸支され、前記操作ハンドルに係合するハンドル係合部と、前記出没部材に形成された掛合片を保持する出没部材掛合部とを有し、
前記漏電表示ボタンが漏電表示状態にある前記出没部材に対して、前記操作ハンドルがオフ操作されると前記リセットアームが回動し、前記出没部材係合部を介して前記出没部材を移動させ、前記非表示状態に移行させることを特徴とする請求項１記載の漏電遮断器の電磁引き外し装置。
【請求項３】
前記マグネットケースは、前記リセットアームの回動を、前記漏電表示ボタンがリセット状態となる一定の角度で係合して停止させる角度規制突起を有することを特徴とする請求項２記載の漏電遮断器の電磁引き外し装置。
【発明の詳細な説明】
【技術分野】
【０００１】
本発明は漏電遮断器の電磁引き外し装置に関し、具体的に漏電発生を表示する漏電表示ボタンを備えた電磁引き外し装置に関する。
【背景技術】
【０００２】
漏電遮断器は漏電発生を表示する漏電表示ボタンを有し、遮断動作した原因が漏電であるか判別できるよう構成されている。この漏電表示ボタンは、通常電磁引き外し装置に一体に構成され、引き外し動作に連動して動作する。そして、漏電表示動作は表示部材（表示ボタン）を遮断器ハウジングの窓から突出させることで、漏電が発生したことが認識できる構成のものが普及している。
例えば、特許文献１に開示された漏電遮断器では、漏電発生を受けて電磁装置が漏電検知動作したら、第２の伝達レバーを動作させて漏電表示ボタンを突出させて表示動作させ、第２の伝達レバーを経由して第１の伝達レバーを動作させて遮断機構を遮断動作させた。
【先行技術文献】
【特許文献】
【０００３】
【特許文献１】特許第２９５３８７０号公報
【発明の概要】
【発明が解決しようとする課題】
【０００４】
従来の漏電遮断器の電磁引き外し装置は、上記特許文献１に開示されているように漏電表示ボタンを表示動作させるための伝達部材（第２伝達レバー）に加えて、電磁石装置の漏電検知動作を電路を遮断するための伝達部材（第１伝達レバー）を備えていたし、第２の伝達レバーには回動後元の位置に復帰させるめのコイルばねも設けられており、電磁引き外し装置の構成部材が多く、組み立てが複雑なものとなっていた。
【０００５】
そこで、本発明はこのような問題点に鑑み、少ない部材で漏電表示ボタンを備えた漏電遮断器の電磁引き外し装置を提供することを目的としている。
【課題を解決するための手段】
【０００６】
上記課題を解決する為に、請求項１の発明は、漏電が発生したらプランジャを引き込んで遮断機構を遮断動作させる電磁石装置と、プランジャの引き込み動作を受けて漏電表示動作する漏電表示ボタンとを備えた漏電遮断器の電磁引き外し装置であって、プランジャに係止して一体に引き込み動作し、プランジャの引き込み動作を遮断機構に伝達するトリップレバーと、電磁石装置を収納するマグネットケースと、漏電表示ボタンを表示動作させる第１付勢手段と、引き込み動作したプランジャを復帰させると共に、連動して移動したトリップレバーを元の位置に戻すための第２付勢手段とを有し、漏電表示ボタンは、マグネットケース内から出没動作する出没部材の頂部に形成され、出没部材の出没動作で漏電発生の表示／非表示を実施し、出没部材は、出没した双方の状態でトリップレバーと係合して互いの位置が規制されることを特徴とする。
この構成によれば、漏電表示ボタンの漏電表示動作を、トリップレバーに係合させた出没部材と第１付勢手段とで実施するため、少ない部材で漏電表示動作を実現できる。また、トリップレバーを元の位置に戻すための第２付勢手段は、プランジャの位置をリセットさせる付勢手段でもあるため、実質トリップレバーを元の位置に戻すための専用の付勢手段は無く、部材を削減できる。
また、出没部材はマグネットケースから露出した状態と没した状態の双方においてトリップレバーと係合してトリップレバーの位置を規制するため、双方の状態でトリップレバーの脱落を防止することができ、引き外し装置を扱い易い。
【０００７】
請求項２の発明は、請求項１に記載の構成において、電路を開閉操作する操作ハンドルのオフ操作に連動させて、漏電表示ボタンの表示状態をリセットさせて非表示状態とするリセットアームとを有し、リセットアームは、マグネットケースに隣接して配置されてマグネットケースに軸支され、操作ハンドルに係合するハンドル係合部と、出没部材に形成された掛合片を保持する出没部材掛合部とを有し、漏電表示ボタンが漏電表示状態にある出没部材に対して、操作ハンドルがオフ操作されるとリセットアームが回動し、出没部材係合部を介して出没部材を移動させ、非表示状態に移行させることを特徴とする。
この構成によれば、操作ハンドルのオフ操作で表示状態にある漏電表示ボタンはリセットされるので、漏電表示ボタンのリセットし忘れを防止できる。そして、リセットアームは出没部材と掛合状態にあるため常に連結された状態にでき、漏電表示ボタンのリセットに合わせてリセットアームも元の位置に戻り、リセットアームをリセットさせる付勢手段を別途設ける必要がない。
【０００８】
請求項３の発明は、請求項２に記載の構成において、マグネットケースは、リセットアームの回動を、漏電表示ボタンがリセット状態となる一定の角度で係合して停止させる角度規制突起を有することを特徴とする。
この構成によれば、漏電表示ボタンがリセットされた段階で、リセットアームの回動は停止するため、リセットアームは一定角度以上回動することが無く、出没部材とトリップレバーの係合が外れてトリップレバーの抜け落ちを防止できる。よって、電磁引き外し装置は扱い易く、組み立ての作業性を向上できる。
【発明の効果】
【０００９】
本発明によれば、漏電表示ボタンの漏電表示動作を、トリップレバーに係合させた出没部材と第１付勢手段とで実施するため、少ない部材で漏電表示動作を実現できる。また、トリップレバーを元の位置に戻すための第２付勢手段は、プランジャの位置をリセットさせる付勢手段でもあるため、実質トリップレバーを元の位置に戻すための専用の付勢手段は無く、部材を削減できる。
また、出没部材はマグネットケースから露出した状態と没した状態の双方においてトリップレバーと係合してトリップレバーの位置を規制するため、双方の状態でトリップレバーの脱落を防止することができ、引き外し装置を扱い易い。
【図面の簡単な説明】
【００１０】
【図１】本発明に係る漏電遮断器の電磁引き外し装置の一例を示す斜視図である。
【図２】図１の電磁引き外し装置の分解図である、
【図３】（ａ）は電磁引き外し装置の平面図、（ｂ）はＡ−Ａ線断面図である。
【図４】電磁引き外し装置の側面図であり、（ａ）はリセットした定常状態、（ｂ）は漏電を検知した検知動作状態を示している。
【図５】漏電表示ボタン動作説明図であり、（ａ）は漏電状態にない定常状態、（ｂ）は漏電発生を通知する表示状態を示している。
【図６】漏電遮断器本体の側面説明図であり、操作ハンドルと電磁引き外し装置との係合を示す図である。
【発明を実施するための形態】
【００１１】
以下、本発明を具体化した実施の形態を、図面を参照して詳細に説明する。図１〜図３は本発明に係る漏電遮断器の電磁引き外し装置の一例を示し、図１は斜視図、図２は分解図、図３（ａ）は平面図、図３（ｂ）はＡ−Ａ線断面図である。１は漏電発生を受けて漏電表示動作する漏電表示ボタン１ａを備えた出没部材、２は漏電表示ボタン１ａを突出させる第１付勢手段としてのコイルばね、３は電磁コイル３ａを備えた電磁石装置、４は電磁石装置３を収納するマグネットケース、５は電磁コイル３ａ内に組み込まれて電磁石装置の一部を成すプランジャ、６はプランジャ５の先端に係合して図示しない遮断機構を遮断動作させるトリップレバー、７はトリップレバー６を前方に突出させる第２付勢手段としてのコイルばね、８は漏電表示動作した出没部材１をリセット操作するリセットアーム、９は電磁石装置３の動作をテストするためのテスト端子である。
以下、漏電表示ボタン１ａの突出方向を上方、トリップレバー６先端方向を前方として説明する。
【００１２】
出没部材１は枠状に形成された本体１ｂを有し、漏電表示ボタン１ａは本体１ｂの上端に形成されている。本体１ｂは、中央部にプランジャ５及びトリップレバー６を挿通する開口部１１を有し、一方の側部にはリセットアーム８に掛合する掛合片１２が突設されている。一方、漏電表示ボタン１ａは、本体１ｂの側方へ突出させて形成され、マグネットケース４内に配置されたコイルばね２の一端が当接する下面を有している。
こうして出没部材１は、コイルばね２の弾性により常時上方に付勢されている状態でマグネットケース４に収納されている。
そして、開口部１１の下辺１３がトリップレバー６の下端に当接して漏電表示ボタン１ａの上方への突出量を規制し、下辺１３の前後端部にはトリップレバー６に掛合して前方への抜けを防止する第１起立片１４ａ、第２起立片１４ｂが形成されている。
【００１３】
マグネットケース４は、後部に電磁石３の収容部を有し、中央上部に漏電表示ボタン１ａが配置され、その下部となるマグネットケース４の内面には、出没部材１を保持して上下方向の出没動作を案内するガイド溝４ａが左右に形成され、出没部材１のスムーズな摺動を可能としている。そして、前側にはトリップアーム６の収容部を形成している。
また、一方の側面にはリセットアーム８の回動を支持する軸孔４ｂ、リセットアーム８の回動角度を規制する規制段部４ｃが設けられている。
【００１４】
プランジャ５は、先端にトリップレバー６に係止する係止溝５ａが設けられ、後方の約半分が電磁石装置３の中心に設けられた貫通孔３ｂ内に収容され、プランジャ５の背部となる貫通孔３ｂの奥部にはプランジャ５の引き込み動作を可能とするための空間Ｅが設けられている。
【００１５】
トリップレバー６は、プランジャ５の先端を係止する係止部６ａを有し、プランジャ５の電磁石装置３内への引き込み動作に連動して移動し、移動動作で先端に形成した操作部６ｂが図示しない遮断機構部を操作して遮断動作させる。
【００１６】
リセットアーム８は、基部にマグネットケース４に設けられた軸孔４ｂに挿入される回動軸８ａを有し、先端部には出没部材１の掛合片１２を保持する長円形状の保持孔８ｂが設けられ、保持孔８ｂの近傍には後述する操作ハンドル２１を支持するハンドルフレーム２２に係合するハンドル係合部８ｃを備えている。保持孔８ｂには掛合片１２が挿入されて掛合し、常時保持される。
【００１７】
上記の如く構成された電磁引き外し装置の動作は以下のようである。図４〜図６を参照して説明する。図４は電磁引き外し装置の側面図であり、（ａ）はリセットした定常状態、（ｂ）は漏電を検知した漏電表示状態を示している。図５は漏電表示ボタンの動作説明図であり、（ａ）は漏電状態にない定常状態、（ｂ）は漏電発生を通知する表示状態を示している。尚、図４と図５とは左右を逆転して示している。また図５において、Ｈは漏電遮断器のハウジング上面を示し、２０ａは漏電表示するための開口窓を示している。
【００１８】
図５（ａ）に示す漏電の発生しない定常状態では、プランジャ５は電磁石装置３に引き込まれていないため、図３（ｂ）に示すようにプランジャ５の背部には、プランジャ５が引き込み動作するための空間Ｅが形成されている。この状態で、漏電表示ボタン１ａは、漏電遮断器のハウジング内に収容され、上面Ｈから突出してはいない。
【００１９】
ここで、出没部材１とトリップレバー６との係合を具体的に説明する。図５に示すようにトリップレバー６の下部には、第１係合部６ｃと第１係合部６ｃより前方に配置されて１段高く形成された第２係合部６ｄとの２段に形成された係合部が設けられている。また、第１係合部６ｃと第２係合部６ｄの間に形成された段部は規制壁６ｅであり、トリップレバー６の前方へ突出を規制している。
定常状態では、こうして形成された第１係合部６ｃに出没部材１の下辺１３が当接して、漏電表示ボタン１ａの突出が規制されている。一方、トリップレバー６は、第２起立片１４ｂに当接して突出が規制されている。
【００２０】
漏電が発生すると、電磁石装置３に発生する電磁力によりプランジャ５が電磁石装置３内に瞬時に引き込まれる。即ち、図３（ｂ）の矢印Ｐの方向に移動し、トリップ動作する。その結果、開口部１１の下辺１３と第１係合部６ｃの係合が外れて、図５（ｂ）に示すようにコイルばね２の付勢力により出没部材１が上方へ移動する。その結果、漏電表示ボタン１ａがハウジング上面Ｈから突出して漏電発生が表示される。また、図５（ｂ）に示すように、出没部材１のプランジャ５との係合部が、第２係合部６ｄへ移行すると共に、トリップレバー６は出没部材１の第１起立片１４ａに当接して引き込まれた位置で停止し、抜け落ちが防止される。
【００２１】
トリップした漏電表示状態で漏電表示ボタン１ａが押下されると、出没部材１とトリップレバー６との係合が解除されて、トリップレバー６及びプランジャ５はコイルばね７の付勢により前方へ移動して復帰動作する。こうして、出没部材１の係合対象が第１係合部６ｃに移行し、漏電表示ボタン１ａは押下された状態を保持し、図５（ａ）に示す定常状態に復帰する。
【００２２】
次に、漏電遮断器の操作ハンドルが操作された場合を図６を参照して説明する。図６は漏電遮断器本体の側面説明図であり、操作ハンドルと電磁引き外し装置との関係を示し、オフ操作の途中の状態を示している。２１は電路を開閉操作する操作ハンドル、２２は操作ハンドル２１を支持すると共に内部にリンク機構を収容したハンドルフレーム、２３は漏電遮断器のハウジング本体である。
【００２３】
ハンドルフレーム２２は、下端に設けられた支持軸２１ａを中心に回動し、矢印Ｑに示す方向へ回動操作することでオフ操作され、電路は遮断される。このハンドルフレーム２２は、漏電表示ボタン１ａが漏電表示状態にある場合にオフ操作の途中でリセットアーム８のハンドル係合部８ｃに当接する当接部２２ａを有し、操作ハンドル２１のオフ操作の途中でハンドルフレーム２２がハンドル係合部８ｃに当接して連動して回動させ、オフ操作終了と共に漏電表示ボタン１ａをリセット状態に移行させる。
【００２４】
このように、漏電表示ボタン１ａの漏電表示動作を、トリップレバー６に係合させた出没部材１と第１付勢手段としてのコイルばね２で実施するため、少ない部材で漏電表示動作を実現できる。また、トリップレバー６を元の位置に戻すための第２付勢手段としてのコイルばね７は、プランジャ５の位置をリセットさせる付勢手段でもあるため、実質トリップレバー６を元の位置に戻すための専用の付勢手段は無く、部材を削減できる。
また、出没部材１はマグネットケース４から露出した状態と没した状態の双方においてトリップレバー６と係合してトリップレバー６の位置を規制するため、双方の状態でトリップレバー６の脱落を防止することができ、引き外し装置を扱い易い。
【００２５】
更に、操作ハンドル２１のオフ操作で表示状態にある漏電表示ボタン１ａはリセットされるので、漏電表示ボタン１ａのリセットし忘れを防止できる。そして、リセットアーム８は出没部材１と掛合状態にあるため常に連結された状態にでき、漏電表示ボタン１ａのリセットに合わせてリセットアーム８も元の位置に戻り、リセットアーム８をリセットさせる付勢手段を別途設ける必要がない。
また、漏電表示ボタン１ａがリセットされた段階で、図４（ａ）のように規制段部４ｃに当接してリセットアーム８の回動は停止するため、リセットアーム８は一定角度以上回動することが無く、出没部材１とトリップレバー６の係合が外れてトリップレバー６の抜け落ちを防止できる。よって、電磁引き外し装置は扱い易く、組み立ての作業性を向上できる。
【符号の説明】
【００２６】
１・・出没部材、１ａ・・漏電表示ボタン、２・・コイルばね（第１付勢手段）３・・電磁石装置、４・・マグネットケース、４ｃ・・規制段部（角度規制突起）、５・・プランジャ、６・・トリップレバー、７・・コイルばね（第２付勢手段）、８・・リセットアーム、８ａ・・回動軸、８ｂ・・保持孔（出没部材掛合部）、８ｃ・・ハンドル係合部、１２・・掛合片、２１・・操作ハンドル、２２・・ハンドルフレーム、Ｈ・・ハウジング上面。
【図１】
2016015289.tif 000003
【図２】
2016015289.tif 000004
【図３】
2016015289.tif 000005
【図４】
2016015289.tif 000006
【図５】
2016015289.tif 000007
【図６】
2016015289.tif 000008